(57)【要約】【課題】遊技者の意図しない遊技媒体の貸し出しを防止する。【解決手段】  遊技者による貸し出し操作に基づき遊技媒体を貸し出しする遊技媒体貸出手段を備えた遊技機において、遊技者によって、遊技機表面から奥方向へ押し込み操作可能な遊技媒体貸出操作部と、前記遊技媒体貸出操作部が前記遊技機表面に近い位置に位置する出発位置から一定距離以上押し込み操作されたことを検知して、前記遊技媒体貸出手段へ貸出指令を出力するために検知信号を出力する遊技媒体貸出スイッチを備えた遊技機。【選択図】図１０
2011234889.tif 000002
【特許請求の範囲】
【請求項１】
遊技者による貸し出し操作に基づき遊技媒体を貸し出しする遊技媒体貸出手段を備えた遊技機において、
遊技者によって、遊技機表面から奥方向へ押し込み操作可能な遊技媒体貸出操作部と、
前記遊技媒体貸出操作部が前記遊技機表面に近い位置に位置する出発位置から一定距離以上押し込み操作されたことを検知して、前記遊技媒体貸出手段へ貸出指令を出力するために検知信号を出力する遊技媒体貸出スイッチを備えた
ことを特徴とする遊技機。
【請求項２】
請求項１において、
押し込まれた前記遊技媒体貸出操作部を、前記出発位置まで復帰力により復帰させるための復帰手段と、
遊技者による押し込み操作により前記遊技媒体貸出スイッチが配設された第１の到達位置に到達する前記遊技媒体貸出操作部が、前記復帰手段の復帰力によりその後第２の到達位置に到達して係止されるための係止機構を備えた
ことを特徴とする遊技機。
【請求項３】
請求項２において、
前記第２の到達位置で係止された前記遊技媒体貸出操作部が、遊技者によって再び奥方向へ押し込み操作された場合に、前記遊技媒体貸出スイッチが配設された第３の到達位置に到達した後、前記出発位置に復帰するように構成されている
ことを特徴とする遊技機。
【請求項４】
請求項３において、
前記遊技媒体貸出操作部が到達する前記第３の到達位置が、前記第１の到達位置と同じ位置となるように構成されている
ことを特徴とする遊技機。
【請求項５】
請求項２ないし請求項４のいずれかにおいて、
さらに遊技媒体を貯留可能な受け皿部を備えた遊技機において、
前記受け皿部に貯留された遊技媒体が一定量以下であることを検知する遊技媒体貯留量検知手段と、
前記遊技媒体貯留量検知手段の検知出力に基づき、前記遊技媒体貸出操作部を前記第２の到達位置に係止する前記係止機構の係止状態を解除することにより、前記第２の到達位置で係止された前記遊技媒体貸出操作部を、前記出発位置に復帰させるための復帰指令を出力する復帰指令手段を備えた
ことを特徴とする遊技機。
【請求項６】
請求項２ないし請求項５のいずれかにおいて、
一端が前記遊技媒体貸出操作部に回動自在に係止されるとともに、他端が移動可能な移動部材によって構成される位置決め部材と、
前記位置決め部材の他端の移動部材が係合して一方向にのみ移動可能に構成されるとともに、前記遊技媒体貸出操作部の前記第１の到達位置、第２の到達位置および第３の到達位置を決定するための前記移動部材の到達部位を備えた略Ｍの字状のガイド溝を備えている
ことを特徴とする遊技機。
【請求項７】
請求項１ないし請求項６のいずれかにおいて、
前記出発位置に位置する前記遊技媒体貸出操作部が、遊技機表面に対して突出した状態となるように構成される
ことを特徴とする遊技機。
【請求項８】
請求項１ないし請求項６のいずれかにおいて、
前記出発位置に位置する前記遊技媒体貸出操作部が、遊技機表面に対して面一な状態となるように構成される
ことを特徴とする遊技機。
【請求項９】
請求項１ないし請求項６のいずれかにおいて、
前記出発位置に位置する前記遊技媒体貸出操作部が、遊技機表面に対して埋没した状態となるように構成される
ことを特徴とする遊技機。
【発明の詳細な説明】
【技術分野】
【０００１】
本発明は、遊技者による貸し出し操作に基づき遊技媒体を貸し出しする遊技媒体貸出手段を備えた遊技機に関するものである。
【背景技術】
【０００２】
特許文献１に記載の従来の遊技機は、図１６に示されるように遊技者が意図しない球貸しボタンＢＢの誤操作を防止するため、球貸しボタンの前面を覆う振り子状の板状部材などの誤操作防止手段ＣＣを設けることにより、遊技者が球貸操作を実行するためには、球貸しボタンＢＢの操作前に、誤操作防止手段ＣＣを操作するという２段階の操作を遊技者に要求するものであった。
【先行技術文献】
【特許文献】
【０００３】
【特許文献１】特開２００２−２１０２１２号公報
【発明の概要】
【発明が解決しようとする課題】
【０００４】
しかしながら上記従来の遊技機においては、球貸操作の実行条件として、遊技者に２段階の操作を要求することにより、遊技者の球貸しボタンＢＢの誤操作を防止するものであるため、遊技者が球貸操作を行うためには常に２段階の操作が必要であり、球貸操作自体が煩わしいものとなるという問題があった。
【０００５】
そこで本発明者らは、遊技者による貸し出し操作に基づき遊技媒体を貸し出しする遊技媒体貸出手段を備えた遊技機において、前記遊技媒体貸出スイッチが、前記遊技媒体貸出操作部が前記遊技機表面に近い位置に位置する出発位置から、遊技機表面から奥方向へ一定距離以上押し込み操作されたことを検知して、前記遊技媒体貸出手段へ貸出指令を出力するための検知信号を出力するという本発明の技術的思想に着眼して、さらに研究開発を重ねた結果、遊技者が意図しないで前記遊技媒体貸出操作部への誤操作が行なわれた場合において、押し込まれた前記遊技媒体貸出操作部の位置が前記一定距離に到達していない時には、遊技媒体の貸し出しが行われないため、遊技者の意図しない遊技媒体の貸し出しを防止するという目的を達成する本発明に到達した。
【課題を解決するための手段】
【０００６】
本発明（請求項１に記載の第１発明）の遊技機は、
遊技者による貸し出し操作に基づき遊技媒体を貸し出しする遊技媒体貸出手段を備えた遊技機において、
遊技者によって、遊技機表面から奥方向へ押し込み操作可能な遊技媒体貸出操作部と、
前記遊技媒体貸出操作部が前記遊技機表面に近い位置に位置する出発位置から一定距離以上押し込み操作されたことを検知して、前記遊技媒体貸出手段へ貸出指令を出力するために検知信号を出力する遊技媒体貸出スイッチを備えた
ものである。
【０００７】
本発明（請求項２に記載の第２発明）の遊技機は、
前記第１発明において、
押し込まれた前記遊技媒体貸出操作部を、前記出発位置まで復帰力により復帰させるための復帰手段と、
遊技者による押し込み操作により前記遊技媒体貸出スイッチが配設された第１の到達位置に到達する前記遊技媒体貸出操作部が、前記復帰手段の復帰力によりその後第２の到達位置に到達して係止されるための係止機構を備えた
ものである。
【０００８】
本発明（請求項３に記載の第３発明）の遊技機は、
前記第２発明において、
前記第２の到達位置で係止された前記遊技媒体貸出操作部が、遊技者によって再び奥方向へ押し込み操作された場合に、前記遊技媒体貸出スイッチが配設された第３の到達位置に到達した後、前記出発位置に復帰するように構成されている
ものである。
【０００９】
本発明（請求項４に記載の第４発明）の遊技機は、
前記第３発明において、
前記遊技媒体貸出操作部が到達する前記第３の到達位置が、前記第１の到達位置と同じ位置となるように構成されている
ものである。
【００１０】
本発明（請求項５に記載の第５発明）の遊技機は、
前記第２発明ないし第４発明のいずれかにおいて、
さらに遊技媒体を貯留可能な受け皿部を備えた遊技機において、
前記受け皿部に貯留された遊技媒体が一定量以下であることを検知する遊技媒体貯留量検知手段と、
前記遊技媒体貯留量検知手段の検知出力に基づき、前記遊技媒体貸出操作部を前記第２の到達位置に係止する前記係止機構の係止状態を解除することにより、前記第２の到達位置で係止された前記遊技媒体貸出操作部を、前記出発位置に復帰させるための復帰指令を出力する復帰指令手段を備えた
ものである。
【００１１】
本発明（請求項６に記載の第６発明）の遊技機は、
前記第２発明ないし第５発明のいずれかにおいて、
一端が前記遊技媒体貸出操作部に回動自在に係止されるとともに、他端が移動可能な移動部材によって構成される位置決め部材と、
前記位置決め部材の他端の移動部材が係合して一方向にのみ移動可能に構成されるとともに、前記遊技媒体貸出操作部の前記第１の到達位置、第２の到達位置および第３の到達位置を決定するための前記移動部材の到達部位を備えた略Ｍの字状のガイド溝を備えている
ものである。
【００１２】
本発明（請求項７に記載の第７発明）の遊技機は、
前記第１発明ないし第６発明のいずれかにおいて、
前記出発位置に位置する前記遊技媒体貸出操作部が、遊技機表面に対して突出した状態となるように構成される
ものである。
【００１３】
本発明（請求項８に記載の第８発明）の遊技機は、
前記第１発明ないし第６発明のいずれかにおいて、
前記出発位置に位置する前記遊技媒体貸出操作部が、遊技機表面に対して面一な状態となるように構成される
ものである。
【００１４】
本発明（請求項９に記載の第９発明）の遊技機は、
前記第１発明ないし第６発明のいずれかにおいて、
前記出発位置に位置する前記遊技媒体貸出操作部が、遊技機表面に対して埋没した状態となるように構成される
ものである。
【発明の効果】
【００１５】
上記構成より成る本発明の遊技機は、遊技者による貸し出し操作に基づき遊技媒体を貸し出しする遊技媒体貸出手段を備えた遊技機において、前記遊技媒体貸出スイッチが、前記遊技媒体貸出操作部が前記遊技機表面に近い位置に位置する出発位置から、遊技機表面から奥方向へ一定距離以上押し込み操作されたことを検知して、前記遊技媒体貸出手段へ貸出指令を出力するための検知信号を出力するので、遊技者が意図しないで前記遊技媒体貸出操作部への誤操作が行なわれた場合において、押し込まれた前記遊技媒体貸出操作部の位置が前記一定距離に到達していない時には、遊技媒体の貸し出しが行われないという作用効果を奏するとともに、遊技者の意図しない遊技媒体の貸し出しを防止することが出来るという効果を奏する。
【図面の簡単な説明】
【００１６】
【図１】本発明の第１実施例ないし第３実施例のパチンコ遊技機の前面を示す正面図である。
【図２】本第１実施例ないし第３実施例のパチンコ遊技機の遊技制御を行う遊技制御装置の全体構成を示すブロック図である。
【図３】本第１実施例のパチンコ遊技機における収容凹部、球貸しボタン、遊技球貸出スイッチの構成を示す拡大斜視図である。
【図４】本第１実施例のパチンコ遊技機における球貸しボタンが出発位置にある時および誤操作された時の、球貸しボタンおよび遊技球貸出スイッチの各状態を示す図３におけるＡ視点からみた説明図である。
【図５】本第１実施例のパチンコ遊技機における球貸しボタンが一定距離押し込まれた時および出発位置に復帰した時の、球貸しボタンおよび遊技球貸出スイッチの各状態を示す図３におけるＡ視点からみた説明図である。
【図６】本発明の第２実施例のパチンコ遊技機における球貸装置の構成を示す拡大斜視図である。
【図７】本第２実施例のパチンコ遊技機における略Ｍの字状の誘導溝を示す拡大斜視図である。
【図８】本第２実施例のパチンコ遊技機における摺動端が第１基点または第２基点にある時の、摺動端と誘導溝の壁頂点との位置関係を示す平面図である。
【図９】本第２実施例のパチンコ遊技機における球貸しボタンが出発位置にある時および誤操作された時の、球貸しボタンおよび摺動端の各状態を示す説明図である。
【図１０】本第２実施例のパチンコ遊技機における球貸しボタンが出発位置から一定距離押し込まれた時および第２の到達位置に復帰した時の、球貸しボタンおよび摺動端の各状態を示す説明図である。
【図１１】本第２実施例のパチンコ遊技機における球貸しボタンが第２の到達位置から一定距離押し込まれた時および出発位置に復帰した時の、球貸しボタンおよび摺動端の各状態を示す説明図である。
【図１２】本発明の第３実施例のパチンコ遊技機における規制ストッパを駆動するソレノイドが未通電状態および通電状態の、誘導溝における摺動端および規制ストッパの各状態を示す説明図である。
【図１３】本第３実施例のパチンコ遊技機における摺動端が一つの頂点に移動した時および第２基点に係止される時の、誘導溝における摺動端および規制ストッパの各状態を示す説明図である。
【図１４】本第３実施例のパチンコ遊技機における遊技球貯留検知手段また解除スイッチの検知出力に基づきソレノイドが未通電状態に切り換えられた時の、誘導溝における摺動端および規制ストッパの各状態を示す説明図である。
【図１５】本発明の変形例における誘導溝の形状を示す説明図である。
【図１６】従来の遊技機における振り子状の板状部材によって球貸しボタンが覆われた状態および球貸しボタンが操作可能な状態を示す部分拡大斜視図である。
【発明を実施するための形態】
【００１７】
以下、本発明の最良の実施形態について、実施例に基づき図面を用いて説明する。
【実施例１】
【００１８】
本第１実施例のパチンコ遊技機は、図１ないし図５に示されるように遊技者が遊技を行うに際して遊技球を必要とした時に、遊技者がパチンコ遊技機の表面に近い位置に突出して配設された球貸しボタン２７を、パチンコ遊技機表面に対して奥方向へ押し込み操作することにより、遊技球貸出スイッチ５０ＳＷによって押し込まれた球貸しボタン２７が検知されることにより、遊技球の貸し出し操作が行われたことが検知されると、遊技球貸出手段５０によって一定量の遊技球（例えば２５球）が受け皿部１８へ払い出しされるように構成されているものである。
【００１９】
そこでまず本第１実施例のパチンコ遊技機の全体構成について、図１に示される正面図を用いて具体的に説明する。
本第１実施例のパチンコ遊技機は、遊技機本体１が外郭となる矩形形状の外枠２を有し、当該外枠２内に納められる図示しない内枠に対して遊技盤３が着脱可能に取り付けられている。
【００２０】
前面枠１６は、例えば前面主要部を構成する透明なガラス窓１７、下端中央の突出部に形成された受け皿部１８、右端略中央部に形成された鍵穴１９、上部左右および前記図示しない内枠に対して固定されたスピーカ２４および前記鍵穴１９下方に配設された発射ハンドル２５等を備え、前記遊技盤３の前面側に前記外枠２に対して揺動開閉可能に取り付けられている。
【００２１】
前記鍵穴１９は、前記前面枠１６の右端略中央部に配設され、当該鍵穴１９に鍵を挿入して左に回すと、前記外枠２に対して前記前面枠１６のみが開放され、逆に鍵を右に回すと、前記外枠２に対して前記前面枠１６および前記遊技盤３が固定された前記内枠とが一体的に開放されるように構成されている。
【００２２】
前記受け皿部１８は、前記前面枠１６の下部に配設され、前記発射ハンドル２５を操作することにより発射される遊技球が貯留されるように構成されている。また、当該受け皿部１８は、その上部に、貯留された遊技球の玉抜きを行うための玉抜きレバー２６ａや、演出やその他の所定の用途に使用される演出ボタン２１等を備えた後述する操作部を備える。さらに、前記受け皿部１８は、その前面略中央部に、遊技媒体貸出操作部としての遊技球の球貸しボタン２７、ＩＣカード等の返却ボタン２８および残高表示部２９などが配設され、その下部に、玉抜きボタン２６ｂが配設されている。
【００２３】
前記発射ハンドル２５は、当該発射ハンドル２５の軸部に対して相対回転可能に配設され、前記受け皿部１８に貯留された遊技球を打ち出すために遊技者が回転操作する発射レバー２５ａと、当該ハンドル操作を行っている状態で遊技球の発射を一時的に停止させるためのウェイトボタン２５ｂと、前記発射ハンドル２５の外周部に施された導電性メッキ部を用いて、当該導電性メッキ部に接している物体の静電気容量の変化を検出することによりハンドル操作が遊技者の手によるものであるか否かを判断するタッチセンサ２５ｃとを備える。
【００２４】
前記スピーカ２４は、前記前面枠１６の上部左右に配設された上スピーカ２４ａと、図示しない前記内枠に対して配設された下スピーカ２４ｂとを備え、各種の演出音または報知音等を出力する。
【００２５】
枠ランプ７６は、前記前面枠１６の所定の位置に配設され、演出等と連動して点灯・点滅などの態様により各種の発光手段として機能する。
【００２６】
次に本第１実施例の遊技盤の具体的構成について説明する。
前記遊技盤３は、図１に示されるように、後述するレールによって囲まれる略円形状の遊技領域３ａと、当該遊技領域３ａの略中央部に配設されたセンター役物４、当該センター役物４後方に配設された図柄変動装置５と、当該センター役物４下方に配設された上始動入賞口７と、当該上始動入賞口７下方に配設された可変入賞装置６と、当該可変入賞装置６下方に配設された大入賞口１０と、前記センター役物左方に配設されたゲート１１と、前記遊技領域３ａの所定の複数箇所に配設された普通入賞口１２と、遊技球を前記遊技領域３ａから排出するためのアウト口１３等を備える。
【００２７】
外レールＲ１及び内レールＲ２は、前記遊技盤３の遊技領域３ａの周囲に配設され、前記発射ハンドル２５の発射レバー２５ａを操作することにより発射装置から発射された遊技球を前記遊技領域３ａの上部に案内する。
【００２８】
前記遊技領域３ａは、その前面に風車３７や図示しない多数の遊技釘が突設され、ここに前記発射ハンドル２５を操作することにより前記発射装置によって遊技球が打ち出される。当該遊技領域３ａを落下する遊技球は、前記遊技釘によりその落下方向に変化を与えられ、また、前記風車３７に絡んだ遊技球は、当該風車３７の回転によりその落下の勢いをほとんど妨げられずに随時左右に振り分けられる。これにより、前記遊技領域３ａに打ち出された遊技球の落下態様を複雑に変化させて遊技進行上の興趣を高めている。
【００２９】
前記センター役物４は、前記遊技盤３の略中央部に前方に開口して配設され、ステージ１５、図示しない可動役物、可動役物１４２および図柄変動装置５等を備える。前記ステージ１５は、前記センター役物４の下部に左右方向および前後方向に延在して配設され、当該ステージ１５上に導かれた遊技球を転動させるための転動面等を備える。
【００３０】
前記可動役物は、前記センター役物４の周囲（例えば上方、下方、左方または右方）に可動自在に配設され、各種の演出に対応して、独立してまたは映像や音声と連動して作動するとともに、遊技者の視界の可視容易な位置に可動役物１４２が移動またはおよび動作を行う形態や、遊技者の視界の可視困難な位置である前記センター役物４の左方後方に配設された図示しない可動役物が移動またはおよび動作することにより遊技者の視界の可視容易な位置である前記図柄変動装置５の前方に出現する形態などの様々な態様で可動することにより出没して演出を盛り上げる。
【００３１】
また前記可動役物は、作動時などにおいて一例として白、青、黄、緑、赤または虹色などに発光して、効果的な光飾演出を実現するために、一例としてＬＥＤ、ランプその他によって構成される発光手段を備える。
【００３２】
さらに前記図柄変動装置５は、前記遊技盤３の略中央部に位置する開口部に対して後方から配設され、装飾図柄等の各種の図柄を変動表示および停止表示、停止図柄予告の表示、ステップアップ予告の切り換え表示といったそれぞれの演出や遊技状態に応じた演出画像等を表示する液晶画面９０をその前面に備える。
【００３３】
ここで前記図柄変動装置５に変動表示される装飾図柄は、上始動入賞口７又は下始動入賞口８への遊技球の入賞を契機として、例えば液晶画面の上方から下方に流れるように変動するなどして、停止図柄が予め定められた図柄の組合せ、例えば「７・７・７」のように同一図柄の組合せや所定の停止図柄態様となった場合等に大当り状態となるように構成されている。
【００３４】
なお識別情報としての装飾図柄は、数字図柄、アルファベット図柄、記号図柄等に、装飾用のデザインなどを組み合わせたもの、さらにキャラクターを象った図柄や実写図柄、ムービー演出等の機能を併せ持つ図柄等その他の態様の図柄が適宜使用可能であるとともに、当該装飾図柄を何種類備えた構成とするかは適宜設定可能である。
【００３５】
また前記可変入賞装置６は、前記センター役物４の下方であって、前記上始動入賞口７の真下に配設され、前記下始動入賞口８、電動チューリップ９とから構成される。前記上始動入賞口７および下始動入賞口８は、これらに遊技球が入賞すると大当り抽選を行うとともに前記図柄変動装置５の装飾図柄を変動表示させる契機となる。また、前記電動チューリップ９は、前記下始動入賞口８の左右に対向配設され、揺動支持端を支点として揺動自在に開閉動する左右一対の可動片を備え、普通図柄の抽選結果に応じて当該可動片を開閉動させる。
【００３６】
さらに前記大入賞口１０は、前記可変入賞装置６の下方に配設され、大当り抽選に当選して大当り遊技状態となった場合に複数回開閉動して、前記遊技領域３ａを流下する遊技球を入賞させ得るよう構成されている。
【００３７】
また前記ゲート１１は、前記センター役物４の左側に配設され、遊技球の通過を契機として普通図柄の抽選を行い、その抽選に当選した場合に前記電動チューリップ９の開放を行う。
さらに、前記普通入賞口１２は、前記遊技領域３ａの所定の複数箇所に配設され、何ら抽選と関係なく、そこに入賞することによって規定個数の遊技球が賞球されるよう構成されている。
【００３８】
さらに前記遊技盤３は、図１において拡大して示すように、その右下部に、第１特別図柄表示器３２ａ、第２特別図柄表示器３２ｂ、第１特別図柄保留ランプ３０ａ、第２特別図柄保留ランプ３０ｂ、普通図柄表示器３３、普通図柄保留ランプ３１を備え、その他にも右打ち指示部や遊技状態表示部などの各種の表示部を備える。
【００３９】
前記第１特別図柄表示器３２ａは、前記上始動入賞口７への遊技球の入賞を契機として特別図柄の変動表示を行うものであり、９個の表示窓に所定の態様で点灯表示することにより大当りの抽選結果を表示するものである。大当りに当選した場合には、例えば図中左から２番目の表示窓および図中左から５番目の表示窓にランプを点灯表示する等、複数種類の予め定められた所定の大当り表示態様でそれに対応する大当り種別を報知し、一方小当りやハズレであった場合には、前記大当り表示態様とは異なる態様で点灯表示を行うものである。
【００４０】
同様に前記第２特別図柄表示器３２ｂは、前記下始動入賞口８への遊技球の入賞を契機として特別図柄の変動表示を行うものであり、９個の表示窓に所定の態様で点灯表示することにより大当りの抽選結果を表示するものである。当該第２特別図柄表示器３２ｂの大当り表示態様は、前記第１特別図柄表示器３２ａの大当り表示態様と同一態様であっても異なる態様であっても適宜設定することができる。
【００４１】
なお装飾図柄は、これらの特別図柄の変動表示に伴い前記図柄変動装置５において変動表示され、特別図柄の抽選を視覚的に演出するために用いられる。また装飾図柄の最終停止図柄態様は、特別図柄の抽選結果に基づき装飾図柄乱数等を参酌して決定される。
【００４２】
前記第１特別図柄保留ランプ３０ａは、前記上始動入賞口７への入賞を契機とした第１特別図柄の大当り抽選権利の保留数（第１保留数）を点灯表示するものであり、同様に前記第２特別図柄保留ランプ３０ｂは、前記下始動入賞口８への入賞を契機とした大当り抽選権利の保留数（第２保留数）を点灯表示するものである。
【００４３】
第１保留数および第２保留数は、それぞれ上限保留数が４個に設定されており、例えば第１保留数が１個の場合には、前記第１特別図柄保留ランプ３０ａの左側の表示窓にランプが点灯し、第１保留数が２個の場合には、前記第１特別図柄保留ランプ３０ａの右側の表示窓にランプが点灯する。さらに第１保留数が３個の場合には、前記第１特別図柄保留ランプ３０ａの左側の表示窓にランプが点滅表示され、第１保留数が４個の場合には、前記第１特別図柄保留ランプ３０ａの右側の表示窓にランプが点滅表示される。なお、前記第２特別図柄保留ランプ３０ｂによる第２保留数の表示態様もこれと同様である。
【００４４】
前記普通図柄表示器３３は、前記遊技領域３ａを流下する遊技球が前記ゲート１１を通過することを契機として普通図柄の変動表示を行うとともに、普通図柄の抽選結果を報知するものである。例えば当たりに当選した場合には、前記普通図柄表示器３３の左側の表示窓にランプが点灯し、一方ハズレであった場合には、右側の表示窓にランプが点灯する。
【００４５】
前記普通図柄保留ランプ３１は、普通図柄の抽選権利の保留数を点灯表示するものであり、その上限保留数および表示態様は、前記第１特別図柄保留ランプ３０ａおよび前記第２特別図柄保留ランプ３０ｂと同様である。
【００４６】
次に本第１実施例のパチンコ遊技機の遊技制御を行う遊技制御装置の構成について、図２に示されるブロック図を用いて説明する。
当該遊技制御装置は、パチンコ遊技機全体の主たる制御を行う主制御基板４０を備えるとともに、副制御基板として、遊技の演出全体を制御する演出制御基板５０、画像や音声を制御する画像・音声制御基板６０、各種の発光手段および可動役物を制御するランプ制御基板７０および賞球を制御する払出制御基板８０等を備える。
【００４７】
以下主制御基板４０、演出制御基板５０、画像・音声制御基板６０、ランプ制御基板７０および払出制御基板８０のそれぞれの具体的構成について説明する。
【００４８】
まず初めに主制御基板について説明する。
前記主制御基板４０は、ＣＰＵ４１、ＲＯＭ４２、ＲＡＭ４３および入出力インターフェースＩ／Ｏ（以下、Ｉ／Ｏという）４４、４５を有し、前記パチンコ遊技機全体の主たる基本的な制御を行う。
前記ＣＰＵ４１は、各種の乱数値を所定の周期ごとに更新処理等している。また、前記ＲＯＭ４２は、前記パチンコ遊技機全体を制御するための主制御プログラムや演出のベースとなる複数種類の変動パターン等を記憶保持している。さらに、前記ＲＡＭ４３は、前記パチンコ遊技機の制御中に随時書き換え等される乱数値などが所定の記憶領域に記憶されるように構成されている。
また前記Ｉ／Ｏ４４は、前記可変入賞装置６の前記上始動入賞口７に設けられた上始動入賞口ＳＷ７ａや前記下始動入賞口８に設けられた下始動入賞口ＳＷ８ａ、前記ゲート１１に設けられたゲートＳＷ１１ａとが接続される。さらに、当該Ｉ／Ｏ４４は、その他にも前記遊技盤３の前記普通入賞口１２に設けられた普通入賞口ＳＷ１２ａ、前記大入賞口１０に設けられた大入賞口ＳＷ１０ａ、前記大入賞口１０の開閉扉を開閉動作させるための大入賞口ソレノイド１０ｓ、前記可変入賞装置６に備えられた前記電動チューリップ９を開閉動作させるための電チューソレノイド９ｓなどが接続されている。
一方前記Ｉ／Ｏ４５は、前記演出制御基板５０に設けられているＩ／Ｏ５５および前記払出制御基板８０に設けられているＩ／Ｏ８４とが接続され、前記主制御基板４０の前記ＣＰＵ４１は、前記演出制御基板５０に対して演出制御信号を出力するとともに、前記払出制御基板８０との間では互いに各種の制御信号のやりとりをして双方向通信を行う。
【００４９】
前記主制御基板４０の前記ＣＰＵ４１は、前記ＲＯＭ４２に格納された主制御プログラムに基づいて、メイン処理およびタイマ割込処理を実行する。
【００５０】
前記演出制御基板５０は、ＣＰＵ５１、ＲＯＭ５２、ＲＡＭ５３およびＩ／Ｏ５５、５６、５７を有し、前記主制御基板４０からの制御信号に基づき、前記画像・音声制御基板６０および前記ランプ制御基板７０を統括的に制御し、演出全体の制御を行う。
前記演出制御基板５０の前記ＣＰＵ５１は、各種の乱数値を所定周期毎に更新処理等する。また、前記ＲＯＭ５２は、前記画像・音声制御基板６０および前記ランプ制御基板７０を統括的に制御するための演出制御プログラム等が記憶されている。さらに、前記ＲＡＭ５３は、前記パチンコ遊技機の制御中に随時書き換え等される乱数値などが所定の記憶領域に記憶されるように構成されている。
【００５１】
また前記Ｉ／Ｏ５５は、前記主制御基板４０の前記Ｉ／Ｏ４５と前記操作部とが接続され、前記主制御基板４０の前記ＣＰＵ４１からの制御信号が入力されるとともに、前記操作部の例えば前記演出ボタン２１等が操作されたことを示す検出信号などが入力される。
さらに前記Ｉ／Ｏ５６は、前記画像・音声制御基板６０のＩ／Ｏ６４が接続され、前記演出制御基板５０の前記ＣＰＵ５１は、前記主制御基板４０からの制御信号に基づき、前記画像・音声制御基板６０に対して画像制御信号および音声制御信号を出力する。
また前記Ｉ／Ｏ５７は、前記ランプ制御基板７０のＩ／Ｏ７４が接続され、前記演出制御基板５０の前記ＣＰＵ５１は、前記主制御基板４０からの制御信号に基づき、前記ランプ制御基板７０に対してランプ制御信号を出力する。
【００５２】
前記演出制御基板５０の前記ＣＰＵ５１は、前記ＲＡＭ５３に格納された演出制御プログラムに基づいて、メイン処理およびタイマ割込処理を実行する。
【００５３】
次に画像・音声制御基板について説明する。
前記画像・音声制御基板６０は、ＣＰＵ６１、ＲＯＭ６２、ＲＡＭ６３およびＩ／Ｏ６４，６５を有し、前記主制御基板４０および前記演出制御基板５０からの制御信号に基づき、画像及び音声の制御を行う。
前記ＲＯＭ６２は、前記図柄変動装置５の表示内容を制御するための表示制御プログラムや前記スピーカ２４を制御するための音声制御プログラムが記憶されているとともに、各種の画像データや音声データが記憶されている。また、前記ＲＡＭ６３は、前記パチンコ遊技機の制御中に随時書き換え等される各種の情報が所定の記憶領域に記憶されるように構成されている。
さらに、前記Ｉ／Ｏ６５は、前記図柄変動装置５および前記スピーカ２４等が接続され、前記画像・音声制御基板６０の前記ＣＰＵ６１は、前記主制御基板４０および前記演出制御基板５０からの制御信号に基づき、前記図柄変動装置５の表示内容や前記スピーカ２４の出力態様を制御する。  
【００５４】
次にランプ制御基板について説明する。
前記ランプ制御基板７０は、ＣＰＵ７１、ＲＯＭ７２、ＲＡＭ７３およびＩ／Ｏ７４、７５を有し、各種のランプ制御を行う。
前記ＲＯＭ７２は、各種の発光手段の発光態様を制御するためのランプ制御プログラムなどが記憶されている。また前記ＲＡＭ７３は、前記パチンコ遊技機の制御中に随時書き換え等される各種の情報が所定の記憶領域に記憶されるように構成されている。
さらに前記Ｉ／Ｏ７５は、各種の発光手段、例えば枠ランプ７６、盤ランプ７７、発光手段１４１Ｌおよび１４２Ｌ、前記演出ボタン２１内に配設されたボタンＬＥＤ７９等が接続され、前記ランプ制御基板７０の前記ＣＰＵ７１は、前記主制御基板４０および前記演出制御基板５０からの制御信号に基づき、これらの発光手段の発光態様を制御するとともに、前記可動役物１４２等の駆動機構を制御するための制御信号を出力するものである。
【００５５】
次に払出制御基板について説明する。
前記払出制御基板８０は、ＣＰＵ８１、ＲＯＭ８２、ＲＡＭ８３、Ｉ／Ｏ８４、８５を有し、前記払出制御基板８０の前記ＣＰＵ８１は、前記主制御基板４０からの払出制御信号に基づいて、前記Ｉ／Ｏ８５に接続されている払出駆動モータ８６の駆動制御を行う。また、当該Ｉ／Ｏ８５は、その他にも定位置検出ＳＷ８７ａや、払出球検出ＳＷ８７ｂ、玉有り検出ＳＷ８７ｃ、満タン検出ＳＷ８７ｄ等が接続され、これらのスイッチの検出信号などが随時入力される。
【００５６】
本第１実施例における遊技媒体貸出手段は、一例として前記球貸しボタン２７が遊技者によって一定距離以上押し込み操作されたことを検知して前記主制御基板４０へ検知信号を出力する遊技球貸出スイッチ５０ＳＷと、当該遊技球貸出スイッチ５０ＳＷの検知信号を受信して、前記払出制御基板８０へ払出制御信号を出力する前記主制御基板４０における制御プログラムと、前記払出制御信号を受信して前記払出駆動モータ８６へ一定量の遊技球（例えば２５球）の払出しを指令する前記払出制御基板８０の制御プログラムおよび前記払出駆動モータ８６の機能によって実現されるように構成されているものである。
【００５７】
次に本第１実施例のパチンコ遊技機の遊技媒体の貸し出しに関する遊技媒体貸出操作部としての前記球貸しボタン２７、遊技球貸出スイッチ５０ＳＷ等の構成の一例について、図３を用いて具体的に説明する。
【００５８】
前記球貸しボタン２７は、図３ないし図５に示されるように立方体状部材によって構成され、パチンコ遊技機表面Ｓから奥方向（図中下方向）に介挿自在となるように形成された直方体状の収容凹部２７Ｓに収容され、図４（ａ）に示されるように遊技者に押し込み操作されていない状態においては、表面が前記収容凹部２７Ｓの上端（すなわちパチンコ遊技機の表面Ｓ）に対して一部突出した状態に維持されるとともに、裏面には当該球貸しボタン２７の位置を出発位置に維持するための復帰手段としてのバネ５２の一端が係止される。
【００５９】
前記バネ５２の他端は、前記収容凹部２７Ｓの下端に形成された底面Ｂに係止される。
【００６０】
前記収容凹部２７Ｓの底面Ｂの中央部分には、一定長さの幅を有した高台部５５０に形成された接点部材５５によって前記遊技球貸出スイッチ５０ＳＷが構成されるとともに、当該遊技球貸出スイッチ５０ＳＷは、遊技者の前記球貸しボタン２７の表面への押圧押し込み操作に基づいて、前記球貸しボタン２７が前記収容凹部２７Ｓの奥方向（図中下方向）へと摺動した場合に、前記球貸しボタン２７の裏面に押圧されることにより前記球貸しボタン２７への遊技者の押し込み操作があったことを検知する。
【００６１】
前記遊技球貸出スイッチ５０ＳＷは、図３に示されるように一端が固着されたバネ材より成る薄板状矩形部材の片持梁構造の揺動部材５４と、前記揺動部材５４の自由端の他端に回転自在に配設されたローラ状部材５３とから成り、図５（ａ）に示されるように遊技者の押し込み操作により前記球貸しボタン２７が前記収容凹部２７Ｓの図中下方へ一定距離Ｌ以上移動した際に、前記球貸しボタン２７の裏面によって押圧され前記ローラ部材５３が下方に揺動するので、前記ローラ部材５３に連動して前記揺動部材５４が図中反時計方向に揺動するため、上方に突出している接点部材５５と揺動した前記揺動部材５４の下面とが当接することにより、遊技者の前記球貸しボタン２７への一定距離Ｌ以上の押し込み操作がされたことを検知する。
【００６２】
次に本第１実施例のパチンコ遊技機において、遊技者が行う球貸しのための押し込み操作による前記球貸しボタン２７の移動および前記遊技球貸出スイッチ５０ＳＷによる球貸し操作の検知の流れについて具体的に説明する。
【００６３】
最初に遊技者による前記球貸しボタン２７への球貸し操作が行なわれていない時は、図４（ａ）に示されるように復帰手段としての前記バネ５２の復帰力により、前記球貸しボタン２７は、下部の突起部２７Ｐが前記収容凹部２７Ｓの上部に突出形成された突起部２７ＳＰと係合することによって、出発位置としての遊技者が操作する表面が前記パチンコ遊技機表面Ｓに対して突出した状態に維持されるとともに、前記遊技球貸出スイッチ５０ＳＷの揺動部材５４と接点部材５５は非接触状態であるため、遊技球の球貸しは行われない状態である。
【００６４】
ここで一例として遊技球の球貸しを意図していない遊技者の腕が触れてしまうことまたは遊技者の球貸しを意図しない誤操作などにより、前記球貸しボタン２７が図中下方へ押圧された場合においては、図４（ｂ）に示されるように前記球貸しボタン２７は前記収容凹部２７Ｓ内において図中下方に移動することになるが、当該移動距離が前記遊技球貸出スイッチ５０ＳＷが遊技者の球貸しのための押し込み操作を検知する一定距離Ｌに到達しないため、前記遊技球貸出スイッチ５０ＳＷの揺動部材５４と接点部材５５は非接触状態であり、遊技者の意図しない遊技球の球貸しは行われない。
【００６５】
次に遊技球の球貸しを必要とした遊技者が、前記球貸しボタン２７を一定距離Ｌ以上押し込み操作することにより、遊技球の球貸しが実行される場合においては、図５（ａ）に示されるように前記バネ５２の復帰力に逆らって前記球貸しボタン２７が前記収容凹部２７Ｓ内の図中下方に少なくとも一定距離Ｌ移動することにより、前記遊技球貸出スイッチ５０ＳＷの揺動部材５４と接点部材５５とが接触状態となり、検知信号が出力されることによって遊技球の球貸しが実行される。
【００６６】
遊技球の球貸しが行われた後、遊技者が前記球貸しボタン２７への押し込み操作を解除すると、前記球貸しボタン２７に対する図中下方への押圧力が無くなるため、前記球貸しボタン２７は、前記バネ５２の付勢力による復帰力により図５（ｂ）に示されるように、前記球貸しボタン２７が押し込み操作される前の出発位置に復帰する。
【００６７】
以下上記構成より成る本第１実施例のパチンコ遊技機の作用および効果について説明する。
【００６８】
本第１実施例のパチンコ遊技機は、遊技者の押し込み操作によって、前記受け皿部１８の表面Ｓに対して若干突出した出発位置に係止される前記球貸しボタン２７が、前記一定距離Ｌ以上押し込み操作されたことが、前記遊技球貸出スイッチ５０ＳＷによって検知されると、前記遊技媒体貸出手段へ貸出指令を出力するための検知信号を出力するので、遊技球の貸し出しを実現するという作用効果を奏するとともに、遊技者が意図しないで前記球貸しボタン２７への誤操作が行なわれた場合において、押し込まれた前記球貸しボタン２７の位置が前記一定距離Ｌに到達していない時には、遊技球の貸し出しが行われないため、遊技者の意図しない遊技球の貸し出しを防止することが出来るという効果を奏する。
【００６９】
本第１実施例のパチンコ遊技機は、遊技者が遊技球の貸し出しを望んで前記球貸しボタン２７への押し込み操作を行う場合には、遊技機表面Ｓに対して突出した状態の前記出発位置に位置する前記球貸しボタン２７を押し込めばよいので、前記球貸しボタン２７への遊技者の貸し出し操作を容易にするという効果を奏する。
【００７０】
本第１実施例のパチンコ遊技機は、遊技者によって押し込み操作された前記球貸しボタン２７が、前記バネ５２の復帰力によって遊技者にとって次回の球貸し操作が容易となる前記出発位置まで復帰するため、遊技者の必要に応じて常に球貸し操作が行ない易いパチンコ遊技機を提供出来るという効果を奏する。
【実施例２】
【００７１】
本第２実施例のパチンコ遊技機は、図６ないし図１１に示されるように遊技者が遊技を行うに際して遊技球を必要とした時に、遊技者がパチンコ遊技機の表面に近い位置に面一な状態となるように配設された球貸しボタン２２７を、パチンコ遊技機表面から奥方向へ押し込み操作することにより、遊技球貸出スイッチ２５０ＳＷによって、前記球貸しボタン２２７と位置決め部材としての連結部材２０１によって繋がれた移動部材としての摺動端２０２が２つの頂点のいずれかに移動したことが検知されることにより、遊技球の貸し出し操作が行われたことが検知されると、前記遊技球貸出手段５０によって一定量の遊技球（例えば１２５球）が前記受け皿部１８へ払い出しされるように構成されているものである。
【００７２】
また本第２実施例における球貸装置２２０は、遊技媒体貸出操作部を構成するもので、図６に示されるように前記球貸しボタン２２７と、前記連結部材２０１と、前記摺動端２０２と、前記摺動端２０２の移動経路を誘導する略Ｍの字状の誘導溝２０３と、一端が前記誘導溝２０３が形成されたガイド部材２０４に係止されるとともに、他端が前記球貸しボタン２２７の裏面（遊技者が押し込み操作する面を表面とする）に係止されることにより、前記球貸しボタン２２７を出発位置または第２の到達位置に係止するために前記球貸しボタン２２７に対して図中右上方向への付勢力を付加するバネ２５２を備える。
【００７３】
前記球貸しボタン２２７は、図６に示されるように遊技者の押し込み操作によって押圧される操作面２２７Ｈと、前記球貸装置２２０の両壁面の上部に形成された凹部に係合して、遊技者によって押し込み操作された際に、当該球貸しボタン２２７の位置を調整するためのスライド部材２２８から構成される。
【００７４】
前記誘導溝２０３は、図７に示されるように図中左回りの一方向にのみ前記摺動端２０２を移動させるために、溝の深さが異なる前記球貸しボタン２２７の出発位置に対応する第１基点と、前記摺動端２０２の移動に伴い溝の深さが徐徐に浅くなる第１移動部位と、前記球貸しボタン２２７の第１の到達位置に対応する図示しない前記遊技球貸出スイッチ２５０ＳＷが配設された一つの頂点Ｔ１を含む第２移動部位と、前記球貸しボタン２２７の第２の到達位置に対応する第２基点と、前記球貸しボタン２２７の第３の到達位置に対応する図示しない前記遊技球貸出スイッチ２５０ＳＷが配設されたもう一つの頂点Ｔ２を含む第３移動部位とから構成される。
【００７５】
前記誘導溝２０３の深さは、前記第１基点および第３移動部位、第２基点、第２移動部位の順序で深いものであり、前記第１移動部位は前記第１基点および第３移動部位と同じ深さから、少なくとも前記第２移動部位の深さよりも浅くなる深さまで徐徐に溝が浅くなるように形成される。
略Ｍの字状の前記誘導溝２０３は、上述した前記誘導溝２０３の深さの違いにより、前記摺動端２０２の前記第２移動部位から第１移動部位への移動、前記第２基点から第２移動部位への移動、前記第３移動部位から第２基点への移動を干渉して前記摺動端２０２の移動方向を図中左回りの一方向へと誘導するように構成される。
【００７６】
前記誘導溝２０３は、図８に示されるように前記摺動端２０２が前記第１基点に位置する時には、前記摺動端２０２の中心が前記誘導溝２０３の壁頂点Ｌ１より右側に位置するので、遊技者の押し込み操作によって前記摺動端２０２が図中上方へ付勢されると、前記摺動端２０２は図中右方向すなわち前記誘導溝２０３を左回りに移動するように構成されている。
【００７７】
同様に前記誘導溝２０３は、図８に示されるように前記摺動端２０２が前記第２基点に位置する時には、前記摺動端２０２の中心が前記誘導溝２０３の壁頂点Ｌ２より左側に位置するので、遊技者の押し込み操作によって前記摺動端２０２が図中上方へ付勢されると、前記摺動端２０２は図中左方向すなわち前記誘導溝２０３を左回りに移動するように構成されている。
【００７８】
次に本第２実施例のパチンコ遊技機において、遊技者が行う球貸しのための押し込み操作による前記球貸しボタン２２７の移動、当該球貸し操作に基づく前記摺動端２０２の前記誘導溝２０３内での移動位置および前記遊技球貸出スイッチ２５０ＳＷによる球貸し操作の検知の流れについて具体的に説明する。
【００７９】
最初に遊技者による前記球貸しボタン２２７への球貸し操作が行なわれていない時は、図９（ａ）に示されるように復帰手段としての前記バネ２５２の復帰力により、前記球貸しボタン２２７は、奥部の突起部２２７Ｐが前記球貸装置２２０が収容される収容凹部２２７Ｓの開口部に突出形成された突起部２２７ＳＰと係合することによって、出発位置としての遊技者が操作する表面が前記パチンコ遊技機表面Ｓ（具体的には前記受け皿部１８の一部の表面）に対して面一の状態に維持されるとともに、前記摺動端２０２は前記誘導溝２０３の前記第１基点に位置しているため、遊技球の球貸しは行われない状態である。
【００８０】
ここで一例として遊技球の球貸しを意図していない遊技者の腕が触れてしまうことまたは遊技者の球貸しを意図しない誤操作などにより、前記球貸しボタン２２７が図中上方へ押圧された場合においては、図９（ｂ）に示されるように前記球貸しボタン２２７は前記収容凹部２２７Ｓ内において図中上方に移動することになるが、当該移動距離が前記遊技球貸出スイッチ５０ＳＷが遊技者の球貸しのための押し込み操作を検知する一定距離Ｌ（すなわち前記摺動端２０２が前記誘導溝２０３の一つの頂点Ｔ１に移動した時の距離）に到達しないため、遊技者の意図しない遊技球の球貸しは行われないとともに、前記球貸しボタン２２７は、前記バネ２５２の復帰力により図９（ａ）に示される出発位置まで復帰する。
【００８１】
次に遊技球の球貸しを必要とした遊技者により、前記球貸しボタン２２７へ十分な押し込み操作がされると、図１０（ａ）に示されるように前記球貸しボタン２２７が、前記バネ２５２の付勢力に抗して前記収容凹部２２７Ｓ内を図中上方に一定距離Ｌ移動することにより第１の到達位置に到達するとともに、前記摺動端２０２が前記誘導溝２０３の前記一つの頂点Ｔ１まで移動したことが前記遊技球貸出スイッチ２５０ＳＷとの接触によって検知されて検知信号が出力されることによって遊技球の球貸しが実行される。
【００８２】
図１０（ａ）の状態において遊技球の球貸しが行われた後、遊技者が前記球貸しボタン２２７への押し込み操作を解除すると、前記球貸しボタン２２７および前記摺動端２０２に対する図中上方への押圧力が無くなるため、前記球貸しボタン２２７および前記摺動端２０２は、前記バネ２５２の付勢力による復帰力により図中下方へ付勢されるが、上述したように前記摺動端２０２は、前記誘導溝２０３の前記第１移動部位と第２移動部位との異なる深さから生じる段差によって前記第２移動部位から第１移動部位への移動を干渉されるため、図１０（ｂ）に示されるように前記摺動端２０２は、前記第１移動部位へと移動することなく前記第２基点へと移動して係止するとともに、当該摺動端２０２が前記第２基点に係止することに伴い前記球貸しボタン２２７は第２の到達位置において係止される。
【００８３】
次に遊技球の球貸しを必要とした遊技者が、前記遊技機表面Ｓに対して凹状態である前記球貸しボタン２２７の操作面２２７Ｈを再び押し込み操作すると、図１１（ａ）に示されるように前記球貸しボタン２２７が第３の到達位置に到達するとともに、前記摺動端２０２は、係止状態が解除されて前記誘導溝２０３を左回りに移動して前記もう一つの頂点Ｔ２まで移動して、当該摺動端２０２の前記もう一つの頂点Ｔ２までの移動が前記遊技球貸出スイッチ２５０ＳＷとの接触によって検知されて検知信号が出力されることによって、再び遊技球の球貸しが実行される。
【００８４】
上述したように図１１（ａ）に示される状態において遊技球の貸し出しが実行された後、遊技者が前記球貸しボタン２２７への押し込み操作を止めると、図１１（ｂ）に示されるように前記球貸しボタン２２７は前記バネ２５２の復帰力により、前記出発位置まで復帰して係止されるとともに、同様に前記摺動端２０２は前記誘導溝２０３の前記第１基点まで戻って係止される。
【００８５】
以下上記構成より成る本第２実施例のパチンコ遊技機の作用および効果について説明する。
【００８６】
本第２実施例のパチンコ遊技機は、遊技者の押し込み操作によって、前記受け皿部１８の表面Ｓに対して面一となる出発位置に係止される前記球貸しボタン２２７が、前記一定距離Ｌ以上押し込み操作されたことが、前記遊技球貸出スイッチ２５０ＳＷによって検知されると、前記遊技媒体貸出手段へ貸出指令を出力するための検知信号を出力するので、遊技球の貸し出しを実現するという作用効果を奏するとともに、遊技者が意図しないで前記球貸しボタン２２７への誤操作が行なわれた場合において、押し込まれた前記球貸しボタン２２７の位置が前記一定距離Ｌに到達していない時には、遊技球の貸し出しが行われないため、遊技者の意図しない遊技球の貸し出しを防止することが出来るという効果を奏する。
【００８７】
本第２実施例のパチンコ遊技機は、遊技者によって押し込み操作された前記球貸しボタン２２７の移動に応じて移動する前記摺動端２０２が、前記遊技球貸出スイッチ２５０ＳＷが配設された前記一つの頂点Ｔ１に到達した後、前記バネ２５２の復帰力に基づいて前記係止機構としての前記誘導溝２０３の前記第２の移動部位を辿って前記第２基点に係止されることにより、前記球貸しボタン２２７が前記第２の到達位置に係止されるので、遊技者による押し込み操作により遊技球の貸し出しが行われた後、前記球貸しボタン２２７が前記出発位置と前記第１の到達位置の中間の前記第２の到達位置に係止されることにより、遊技者の前記球貸しボタン２２７への誤操作を防止することにより、遊技者の意図しない遊技球の貸し出しを防止するという効果を奏する。
【００８８】
本第２実施例のパチンコ遊技機は、前記第２の到達位置で係止された前記球貸しボタン２２７が、遊技者によって再び奥方向へ押し込み操作された場合に、前記球貸しボタン２２７の移動に応じて移動する前記摺動端２０２が、前記遊技球貸出スイッチ２５０ＳＷが配設された前記誘導溝２０３の前記もう一つの頂点Ｔ２まで移動して遊技球の球貸しが行われた後、前記バネ２５２の復帰力によって前記球貸しボタン２２７が前記出発位置に復帰するので、遊技球の貸し出しを意図しない遊技者の前記第２の到達位置（すなわち前記遊技機表面Ｓに対して奥方向へ進入した位置）で係止された前記球貸しボタン２２７への誤操作を防止し、前記出発位置への自動的復帰を可能にするとともに、遊技媒体の貸し出しを意図している遊技者の前記出発位置まで復帰した前記球貸しボタン２２７への押し込み操作を可能にするという効果を奏する。
【００８９】
本第２実施例のパチンコ遊技機は、一端が前記球貸しボタン２２７に回動自在に係止された前記連結部材２０１の他端の前記摺動端２０２が、前記球貸しボタン２２７の前記第１の到達位置、第２の到達位置および第３の到達位置を決定するための前記摺動端２０２の到達部位を備えた略Ｍの字状の前記誘導溝２０３に係合して一方向にのみ移動するので、前記略Ｍの字状の誘導溝２０３によってガイドされた前記摺動端２０２の移動に応じて前記球貸しボタン２２７が移動することにより、前記球貸しボタン２２７の移動動作および到達位置を確実なものとして、前記出発位置から再び前記出発位置に戻るまでの１サイクルにおいて、前記球貸しボタン２２７の２回の押し込み操作に基づき、前記球貸しボタン２２７が前記第１の到達位置または第３の到達位置に移動して、前記遊技球貸出スイッチ２５０ＳＷによって当該球貸しのための押し込み操作が検知されることにより行われる２回の遊技球の貸し出しを確実に実行することが出来るという効果を奏する。
【００９０】
本第２実施例のパチンコ遊技機は、前記球貸しボタン２２７が前記出発位置にある状態において、遊技者が遊技球の貸し出しを望んで前記球貸しボタン２２７への押し込み操作を行う場合においても、遊技機表面Ｓに対して面一な状態の前記出発位置に位置する前記球貸しボタン２２７を押し込むものであるので、遊技者による前記球貸しボタン２２７への意図しない貸し出し操作の可能性を低下させるため、遊技球の貸し出しを意図しない遊技者の誤操作を防止することが出来るという効果を奏する。
【実施例３】
【００９１】
本第３実施例のパチンコ遊技機は、図１２ないし図１４に示されるように遊技者が遊技を行うに際して遊技球を必要とした時に、遊技者がパチンコ遊技機の表面に近い位置に収納した状態となるように配設された球貸しボタン３２７を、パチンコ遊技機表面から奥方向へ押し込み操作することにより、前記球貸しボタン３２７と位置決め部材としての連結部材３０１によって繋がれた移動部材としての摺動端３０２が誘導溝３０３の第１の溝３０３１に沿って頂点Ｔ３に移動したことが遊技球貸出スイッチ３５０ＳＷによって検知されることにより、遊技者による遊技球の貸し出し操作が行われたことが検知されると、前記遊技球貸出手段５０によって一定量の遊技球（例えば２００球）が前記受け皿部１８へ払い出しされるとともに、前記受け皿部１８に貯留されている遊技球の貯留量が一定量以上有る状態においては、前記球貸しボタン３２７が出発位置からさらに奥部において係止されることにより、球貸し操作を困難として、無駄な球貸しを防止するための機構を備えるものである。
【００９２】
また本第３実施例のパチンコ遊技機は、前記受け皿部１８に貯留されている遊技球が一定量（例えば受け皿部１８に貯留可能な遊技球の最大量の半分の量）存在するかどうかを検知する遊技球貯留量検知手段３１８と、該遊技球貯留量検知手段３１８または前記遊技球貸出スイッチ３５０ＳＷの検知出力に基づき、前記誘導溝３０３の第２の溝３０３２における前記摺動端３０２の球貸しが可能になる第１基点への移動を規制する規制ストッパ３１９と、前記遊技球貯留量検知手段３１８からの引力によりコントローラからの駆動出力により前記規制ストッパ３１９を軸方向に移動すべく駆動するソレノイド３１９Ｓと、前記摺動端３０２の移動経路を誘導する略Ｍの字状の前記誘導溝３０３の第３の溝３０３３を備えた点などが、上述の第１実施例または第２実施例との相違点であり、以下相違点を中心に説明して、同一部分については同一符号を付して説明を省略する。
なお前記受け皿部１８において貯留可能な遊技球の最大量は、一例として３００球であるものとして説明する。
【００９３】
遊技球貯留量検知手段３１８は、前記受け皿部１８の遊技球が貯留される領域の底面の略中央部に配設された電磁誘導法を用いたコイル式センサーなどの金属感知センサーによって構成され、当該金属感知センサーの磁場変化の感知状態によって、遊技球が所定方向に偏って貯留されるように、所定方向に傾斜して形成された前記受け皿部１８の遊技球が貯留される領域の、おおよそ中央位置まで遊技球が存在するかどうかを検知することにより、前記受け皿部１８において貯留可能な遊技球の最大量の約半分の量の遊技球が貯留されているかどうかを検知可能に構成される。
【００９４】
本第３実施例の前記誘導溝３０３は、図１２（ａ）および（ｂ）に示されるように第３移動部位の形状および当該第３移動部位において進退動作を行うことによって、前記球貸しボタン３２７に対する押し込み操作に応じて移動する前記摺動端３０２の前記誘導溝３０３内における第１の基点への移動を規制する前記規制ストッパ３１９を備えた点が上述した第２実施例において説明した前記誘導溝２０３との主な相違点であり以下相違点を中心に説明する。
【００９５】
前記誘導溝３０３の第３移動部位は、図１２（ｂ）に示されるように前記規制ストッパ３１９を駆動する前記ソレノイド３１９Ｓが通電状態においては、前記規制ストッパ３１９が前記摺動端３０２の移動経路に突出することにより、前記第２基点に到達した前記摺動端３０２が前記第２基点において係止されるように構成される。
【００９６】
前記ソレノイド３１９Ｓは、前記遊技球貯留量検知手段３１８によって、前記受け皿部１８に貯留されている遊技球の貯留量が貯留可能数の概ね半数以上であることが検知されている状態、および前記球貸しボタン３２７への一定距離Ｌ以上の押し込み操作に基づき、一つの頂点Ｔ３に前記摺動端３０２が到達することにより、前記遊技球貸出スイッチ３５０ＳＷにおいて球貸し操作が検出された時刻から一定時間（例えば１００００ｍｓ）が経過するまでの状態において電流が印加され、前記規制ストッパ３１９を前記誘導溝３０３の第３移動部位に突出させるように駆動するように構成される。
【００９７】
前記規制ストッパ３１９は、大径円柱状のロッド部３１９１と、小径円柱状のロッド部３１９２とが直列に一体的に形成されるとともに、前記大径円柱状のロッド部３１９１の前記小円柱状のロッド部３１９２との臨界面には後述するコイルスプリング３５２が係止されて、当該コイルスプリング３５２の付勢力によって前記誘導溝３０３の第３移動部位から離間する方向に付勢されるように構成されている。
【００９８】
前記コイルスプリング３５２は、他端が前記誘導溝３０３の第３移動部位の外側の側壁に他端が係止され、前記規制ストッパ３１９を前記誘導溝３０３の第３移動部位から離間する方向へ付勢力を付加するように構成される。
【００９９】
前記ソレノイド３１９Ｓが通電して前記摺動端３０２が前記第２基点に係止された状態において、前記遊技球貯留量検知手段３１８によって前記受け皿部１８に貯留されている遊技球の貯留量が約半分に満たないことが検出されると、前記コントローラからの駆動出力が零になり前記ソレノイド３１９Ｓは、図１２（ａ）に示されるように未通電状態に切り換えられるので前記規制ストッパ３１９が、前記コイルスプリング３５２の付勢力によって図中左上方向に付勢されて退避することにより、前記摺動端３０２は、図１４（ａ）に示されるように前記バネ３５２の復帰力による図中下方向への付勢力に従い前記誘導溝３０３の第３の溝３０３３に沿って第３移動部位の移動経路を辿って第１基点へと移動する。
【０１００】
また前記ソレノイド３１９Ｓが前記コントローラからの駆動出力が通電され前記摺動端３０２が前記第２基点に係止された状態において、遊技者により前記球貸しボタン３２７が再び押し込み操作されると、図１４（ｂ）に示されるように前記摺動端３０２がもう一つの頂点Ｔ４に移動することにより、後述する解除スイッチ３５１ＳＷと接触するため、前記ソレノイド３１９Ｓは、図１２（ａ）に示されるように未通電状態に切り換えられて前記規制ストッパ３１９が、前記コイルスプリング３５２の付勢力によって図中左上方向に付勢されて退避することにより、前記摺動端３０２は、前記バネ３５２の復帰力による図中下方向への付勢力に従い前記誘導溝３０３の第３の溝３０３３に沿って第３移動部位の移動経路を辿って第１基点へと移動する。
【０１０１】
前記解除スイッチ３５１ＳＷは、第２の到達位置に位置する前記球貸しボタン３２７が遊技者によって再び押し込み操作されることにより、前記誘導溝３０３の第４の溝３０３４に沿って第２基点に位置している前記摺動端３０２がもう一つの頂点Ｔ４に移動したことを検出するとともに、当該検知出力に基づき前記ソレノイド３１９Ｓを未通電状態へと切り換えることにより、前記球貸しボタン３２７を出発位置に復帰させて、球貸しを要求する遊技者の前記球貸しボタン３２７への球貸し操作を可能にするように構成される。
【０１０２】
次に本第３実施例のパチンコ遊技機において、遊技者が行う球貸しのための押し込み操作に基づく前記摺動端３０２の前記誘導溝３０３内での移動位置、前記遊技球貸出スイッチ３５０ＳＷによる球貸し操作の検知、前記解除スイッチ３５１ＳＷによる球貸し準備操作の検知または前記ソレノイド３１９Ｓの駆動力に基づく前記規制ストッパ３１９の移動の流れについて具体的に説明する。
【０１０３】
最初に遊技者による前記球貸しボタン３２７への球貸し操作が行なわれていない時は、図示しないが復帰手段としての前記バネ３５２の復帰力により、前記球貸しボタン３２７は、奥部の突起部が球貸装置が収容される収容凹部の開口部に突出形成された突起部と係合することによって、出発位置としての遊技者が操作する表面が前記パチンコ遊技機表面Ｓ（具体的には受け皿部１８の一部の表面）に対して埋没した状態に維持されるとともに、前記摺動端３０２は前記誘導溝３０３の前記第１基点に位置しているため、遊技球の球貸しは行われない状態である。
【０１０４】
本第３実施例の球貸しボタン３２７は、当該球貸しボタン３２７が出発位置に位置する場合には、遊技者が押し込み操作を行なう操作面が前記パチンコ遊技機表面Ｓに対して若干埋没した状態に維持されるので、遊技球の球貸しを意図していない遊技者の誤操作を防止出来るものである。
【０１０５】
加えて本第３実施例の球貸装置は、仮に遊技球の球貸しを意図していない遊技者の腕が触れてしまうことまたは遊技者の球貸しを意図しない誤操作などにより、前記パチンコ遊技機表面Ｓに対して埋没した状態の前記球貸しボタン３２７が奥方向へ押し込まれた場合においても、押し込まれて移動した当該移動距離が前記遊技球貸出スイッチ３５０ＳＷが遊技者の球貸しのための押し込み操作を検知する一定距離Ｌ（すなわち前記摺動端３０２が前記誘導溝３０３の一つの頂点Ｔ３に移動した時の距離）に到達しない場合には、遊技球の球貸しは行われないため、遊技球の球貸しを意図していない遊技者による誤操作をさらに防止出来るものである。
【０１０６】
次に遊技球の球貸しを必要とした遊技者により、前記球貸しボタン３２７への十分な押し込み操作がされると、前記球貸しボタン３２７が、一定距離Ｌ移動することにより第１の到達位置に到達するとともに、前記摺動端３０２が前記誘導溝３０３の前記一つの頂点Ｔ３まで移動したことが前記遊技球貸出スイッチ３５０ＳＷとの接触によって検知されて検知信号が出力されることによって遊技球の球貸しが実行されるとともに、前記遊技球貸出スイッチ３５０ＳＷの検知信号に基づき、図１３（ａ）に示されるように前記ソレノイド３１９Ｓが通電状態となり前記規制ストッパ３１９が第３移動部位の移動経路に進出して当該移動経路の一部を遮断する。
【０１０７】
遊技球の球貸しが行われた後、遊技者が前記球貸しボタン３２７への押し込み操作を解除すると、図１３（ｂ）に示されるように前記摺動端３０２は、前記バネ３５２の付勢力による復帰力により前記第２基点へと移動するとともに、前記第２基点から繋がる前記第３の移動部位に進出した前記規制ストッパ３１９によって移動を規制されて係止するとともに、当該摺動端３０２が前記第２基点に係止することに伴い前記球貸しボタン３２７は第２の到達位置において係止される。
【０１０８】
ここで本第３実施例のパチンコ遊技機は、遊技者が前記球貸しボタン３２７を押し込み操作に基づき、前記摺動端３０２が前記遊技球貸出スイッチ３５０ＳＷと接触することにより検知出力が出力されると、当該検知出力に従い２００球の遊技球の貸し出しが開始されるとともに、当該２００球の遊技球の貸し出しは一定時間（例えば１００００ｍｓ）以内に完了するように構成されている。
【０１０９】
遊技球の貸し出しが開始された時刻から一定時間が経過した時刻において、前記受け皿部１８の遊技球の貯留量が、最大可能貯留量の約半数である１５０球以上であることが前記遊技球貯留量検知手段３１８によって検知された場合には、前記ソレノイド３１９Ｓは通電状態を維持して前記規制ストッパ３１９は前記第３移動部位の移動経路の一部を遮断した状態を維持する。
【０１１０】
遊技球の貸し出しが開始された時刻から一定時間以上が経過した状態においては、前記受け皿部１８の遊技球の貯留量が、最大可能貯留量の約半数である１５０球未満であることが前記遊技球貯留量検知手段３１８によって検知されると、図１４（ａ）に示されるように前記コントローラからの駆動出力が零となり、前記ソレノイド３１９Ｓは未通電状態へと切り換わるため、前記規制ストッパ３１９は前記第３移動部位の移動経路から退避して、前記第２の基点に係止されている前記摺動端３０２は前記バネ３５２の復帰力により前記第１の基点に移動するとともに、前記第２の到達位置に係止されている前記球貸しボタン３２７は前記バネ３５２の復帰力により前記出発位置に移動する。
【０１１１】
また遊技球の貸し出しが開始された時刻から一定時間以上が経過した状態において、前記受け皿部１８に貯留された遊技球が１５０球以上である場合においても、遊技者が再び前記球貸しボタン３２７を押し込み操作すると、図１４（ｂ）に示されるように前記摺動端３０２が前記誘導溝３０３のもう一つの頂点Ｔ４へ移動したことが前記解除スイッチ３５１ＳＷによって検知されることにより、当該解除スイッチ３５１ＳＷの検知出力に基づき前記コントローラからの駆動出力が零となり、前記規制ストッパ３１９が未通電状態に切り換えられる。
【０１１２】
前記規制ストッパ３１９の位置を決める前記ソレノイド３１９Ｓへの前記コントローラへの通電または未通電の切り換え駆動指令は、一例として前記解除スイッチ３５１ＳＷの検知出力に基づく切り換え駆動指令、前記遊技球貸出スイッチ３５０ＳＷの検知出力に基づく切り換え駆動指令、前記遊技球貯留量検知手段３１８の検知出力に基づく切り換え駆動指令の順に優先されるように制御処理される。
【０１１３】
すなわち本第３実施例のパチンコ遊技機は、前記遊技球貸出スイッチ３５０ＳＷまたは前記遊技球貯留量検知手段３１８の検知出力に基づき、遊技者にとって遊技球の貸し出しの必要性が比較的少ない状態においては、前記球貸しボタン３２７を前記第２の到達位置に係止することにより、遊技球の球貸しを意図しない遊技者の誤操作を防止出来るものであるとともに、当該遊技球の貸し出しの必要性が比較的少ないと予想される状態においても、遊技者が前記第２の到達位置に係止された前記球貸しボタン３２７を再び押し込み操作することにより、前記解除スイッチ３５１ＳＷの検知出力に基づき前記ソレノイド３１９Ｓを未通電状態に切り換えられるので、前記球貸しボタン３２７を次回押し込み操作した場合に球貸しが実行される前記出発位置まで復帰させることが可能であるので、遊技球を必要とする遊技者の球貸し要求を優先出来るように構成されているものである。
【０１１４】
以下上記構成より成る本第３実施例のパチンコ遊技機の作用および効果について説明する。
【０１１５】
本第３実施例のパチンコ遊技機は、遊技者の押し込み操作によって、前記受け皿部１８の表面Ｓに対して若干埋没した出発位置に係止される前記球貸しボタン３２７が、前記一定距離Ｌ以上押し込み操作されたことが、前記遊技球貸出スイッチ３５０ＳＷによって検知されると、前記遊技媒体貸出手段へ貸出指令を出力するための検知信号を出力するので、遊技球の貸し出しを実現するという作用効果を奏するとともに、遊技者が意図しないで前記球貸しボタン３２７への誤操作が行なわれた場合において、押し込まれた前記球貸しボタン３２７の位置が前記一定距離Ｌに到達していない時には、遊技球の貸し出しが行われないため、遊技者の意図しない遊技球の貸し出しを防止することが出来るという効果を奏する。
【０１１６】
本第３実施例のパチンコ遊技機は、遊技者によって押し込み操作された前記球貸しボタン３２７の移動に応じて移動する前記摺動端３０２が、前記遊技球貸出スイッチ３５０ＳＷが配設された前記一つの頂点Ｔ３に到達した後、前記バネの復帰力に基づいて前記誘導溝３０３の前記第２の溝３０３２に沿って移動して前記係止機構としての前記規制ストッパ３１９に係止されることにより、前記球貸しボタン３２７が前記第２の到達位置に係止されるので、遊技者による押し込み操作により遊技球の貸し出しが行われた後、前記球貸しボタン３２７が前記出発位置と前記第１の到達位置の中間の前記第２の到達位置に係止されることにより、遊技者の前記球貸しボタン３２７への誤操作を防止することにより、遊技者の意図しない遊技球の貸し出しを防止するという効果を奏する。
【０１１７】
本第３実施例のパチンコ遊技機は、前記受け皿部１８に貯留された遊技球が一定量（例えば１５０球）以下であることを検知する前記遊技球貯留量検知手段３１８の検知出力に基づき、前記ソレノイド３１９Ｓを未通電状態に切り換えて、前記球貸しボタン３２７を前記第２の到達位置に係止する前記規制ストッパ３１９の係止状態を解除することにより、前記第２の到達位置で係止された前記球貸しボタン３２７を、前記出発位置に復帰させるので、前記受け皿部１８に貯留された遊技球が一定量以下となった場合に、前記球貸しボタン３２７を前記第２に到達位置に係止された状態から、前記出発位置に自動的に復帰させるため、遊技球の貸し出しを必要とする遊技者の前記球貸しボタン３２７を前記出発位置へ戻すための操作を不要にするという効果を奏する。
【０１１８】
本第３実施例のパチンコ遊技機は、一端が前記球貸しボタン３２７に回動自在に係止された前記連結部材の他端の前記摺動端３０２が、前記球貸しボタン３２７の前記第１の到達位置、第２の到達位置および第３の到達位置を決定するための前記摺動端３０２の到達部位を備えた略Ｍの字状の前記誘導溝３０３に係合するので、前記略Ｍの字状の誘導溝３０３によってガイドされた前記摺動端３０２の移動に応じて前記球貸しボタン３２７が移動することにより、前記球貸しボタン３２７の移動動作および到達位置を確実なものとして、前記球貸しボタン３２７の押し込み操作に基づき、前記球貸しボタン３２７が前記第１の到達位置に移動して、前記遊技球貸出スイッチ３５０ＳＷによって当該球貸しのための押し込み操作が検知されることにより行われる遊技球の貸し出しを確実に実行することが出来るという効果を奏する。
【０１１９】
本第３実施例のパチンコ遊技機は、遊技者が遊技球の貸し出しを望んで前記球貸しボタン３２７への押し込み操作を行う場合には、遊技機表面Ｓに対して埋没した状態の前記出発位置に位置する前記球貸しボタン３２７を押し込むものであるので、遊技者による前記球貸しボタン３２７への意図しない貸し出し操作の可能性をさらに低下させるため、遊技球の貸し出しを意図しない遊技者の誤操作をさらに防止することが出来るという効果を奏する。
【０１２０】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【０１２１】
上述の実施例においては、遊技者による前記一定距離Ｌ以上の押し込み操作に基づいて遊技球の貸し出しを行う球貸装置がパチンコ遊技機に配設される形態について説明したが、本発明はこれに限定されるものではなく、パチンコ遊技機または回胴式遊技機等に付設される付設装置において、遊技者の操作に基づき遊技媒体の貸し出しを行うための遊技媒体貸出操作部が一定距離以上押し込み操作された場合に、前記パチンコ遊技機、回胴式遊技球または付設装置に備えられた遊技媒体貸出手段へ貸出指令を出力して遊技媒体の貸し出しを行う形態を採用することが出来るとともに、会員カードなどの所定の磁気媒体に遊技媒体量に関するデータを記憶することにより予め貯められた遊技媒体から一定量（例えば１２５球、５０枚など）の遊技媒体を差し引いて貸し出しするための、パチンコ遊技機、回胴式遊技機、付設装置または遊技機に接続されない球貸装置に配設される再プレイボタンに本発明を適用することも出来るものである。
【０１２２】
上述の第３実施例においては、前記遊技球貯留量検知手段３１８として金属感知センサーを用いる形態について説明したが、本発明はこれに限定されるものではなく、ＬＥＤなどの発光素子とフォトトランジスタ、フォトダイオードまたは硫化カドミウムなどの受光素子を対向して配設するとともに、発光素子から受光素子への光が遊技球により遮断されるか否かにより遊技球を検知する光センサーを用いた形態や、前記受け皿部１８の遊技球が貯留される領域に電源部材と電極部材を離して配設するとともに、導電性を有する遊技球によって電源部材から電極部材までの導通路が形成されているか否かにより、前記受け皿部１８の遊技球が貯留される領域における遊技球の有無を検知する電流検知センサーを用いる形態を採用することが出来るものである。
【０１２３】
上述の第３実施例においては、前記規制ストッパ３１９を駆動する駆動源としてソレノイド３１９Ｓを用いる形態について説明したが、本発明はこれに限定されるものではなく、前記遊技球貯留量検知手段３１８、前記遊技球貸出スイッチ３５０ＳＷまたは前記解除スイッチ３５１ＳＷの検知出力に基づき所定条件を満たした場合に駆動するモータやその他の駆動手段によって前記摺動端３０２の移動を規制する形態を採用することが出来るものである。
【０１２４】
さらに上述の第３実施例においては、遊技球の貯留量が一定量以下になると電気的信号を出力して、ソレノイド３１９Ｓのような電気的駆動手段によって前記摺動端３０２の移動規制を行う例について説明したが、本発明はこれに限定されるものではなく、遊技球の貯留量に対応する重量に応じてスプリングのような機械的に変位する変化検出機構により、貯留量が一定量以下になったら、重量バランスから反転する機械的反転機構によって前記摺動端３０２の移動を規制する機械的な実施形態を採用することが出来る。
【０１２５】
また上述の第２実施例は、前記出発位置においては球貸しボタン２２７が操作面に面一に配設される例について説明したが、本発明はこれに限定されるものではなく、上述の第３実施例のように誤操作防止を一層確実にするために操作面に対して、一定距離内面に設定する実施形態を採用可能である。
【０１２６】
上述の第２および第３実施例においては、略Ｍの字状の誘導溝２０３の第１ないし第３移動部位に沿って前記連絡部材２０１の前記摺動端２０２が摺動する例について説明したが、本発明としては、それに限定されるものではなく、例えば図１５に示されるようにギリシャ文字の小文字のオメガ（ω）の一部を変形した誘導溝４０３の段階的に一段ずつ溝が深くなるとともに、移動に伴い少しずつ深くなる第１ないし第４移動路４０３１〜４０３４に沿って前記連絡部材２０１の前記摺動端２０２が摺動するようにして、第１の移動位置Ｔ１と第２の移動位置Ｔ２を押し込み方向および押し込み方向の左右方向において同一位置とする点に特徴がある実施形態を採用することができる。すなわち球貸しボタン２２７が押し込まれると第１の移動路４０３１を移動する摺動端２０２は、センサが配設されている第１の移動位置Ｔ１に到達した後一段低い第２の移動路４０３２を介して第２基点に到達するとともに、球貸しボタン２２７がさらに押し込まれると第３の移動路４０３２に沿って移動する摺動端２０２は、センサが配設されている第１の移動位置Ｔ１と同一の移動位置Ｔ２に到達した後、一段低い第４の移動路４０３４に沿って第１基点Ｔ０に戻る。
【０１２７】
前記摺動端２０２の回動可能に構成された下部には、進行方向に直角な方向の幅が異なる部分が形成されていて、第１および第２移動路を移動する時は広幅状態で選択的に移動し、第２基点に到達した時に強制的に前記下部が回動されることにより狭幅状態に変更され、第３および第４移動路を移動する時は狭幅状態で選択的に移動する様に構成されており、第１の移動路４０３１から第４の移動路４０３４への移行および第３の移動路４０３３から第２の移動路４０３２への移行が発生しないように設定されている。
【０１２８】
上記構成より成る本変形例の実施形態は、第１および第２の移動位置Ｔ１、Ｔ２が同一であり、前記摺動端２０２到達を検知するセンサが１個であるため、第２および第３実施例に比べてセンサコストを低減できるメリットを有する。
【０１２９】
また上述した実施例においては、略Ｍの字状の誘導溝を用いて遊技媒体貸出操作部が、出発位置、第１の到達位置、第２の到達位置および第３の到達位置を移動する形態について説明したが、本発明はこれに限定されるものではなく、本発明においてノック式ボールペンに用いられる往復タイプまたはロータリータイプのラチェット機構を適用して往復部材が出発位置、第１の到達位置、第２の到達位置を直線的に往復移動する形態を採用することが出来るものである。
【０１３０】
また本発明は、明細書に記載された全ての特徴事項について、一つの項目内において複数の特徴事項が組み合わされて記載されている場合であっても、常にその全ての特徴事項を一緒に採用しなければならないものではなく、その一部の特徴事項のみを取り出して採用したり、項目の枠組みを越えて各特徴事項を適宜組み合わせて採用することができる。
【産業上の利用可能性】
【０１３１】
遊技者による貸し出し操作に基づき遊技媒体を貸し出しする遊技媒体貸出手段を備えた遊技機において、前記遊技媒体貸出スイッチが、前記遊技媒体貸出操作部が前記遊技機表面に近い位置に位置する出発位置から、遊技機表面から奥方向へ一定距離以上押し込み操作されたことを検知して、前記遊技媒体貸出手段へ貸出指令を出力するための検知信号を出力するので、遊技者が意図しないで前記遊技媒体貸出操作部への誤操作が行なわれた場合において、押し込まれた前記遊技媒体貸出操作部の位置が前記一定距離に到達していない時には、遊技媒体の貸し出しが行われないため、遊技者の意図しない遊技媒体の貸し出しを防止するという用途に適用できる。
【符号の説明】
【０１３２】
１  遊技機本体
２  外枠
３  遊技盤
５  図柄変動装置
２７、２２７、３２７  球貸しボタン
４０  主制御基板
５０  演出制御基板
５１  ＣＰＵ
６０  画像・音声制御基板
７０  ランプ制御基板
８０  払出制御基板
【図１】
2011234889.tif 000003
【図２】
2011234889.tif 000004
【図３】
2011234889.tif 000005
【図４】
2011234889.tif 000006
【図５】
2011234889.tif 000007
【図６】
2011234889.tif 000008
【図７】
2011234889.tif 000009
【図８】
2011234889.tif 000010
【図９】
2011234889.tif 000011
【図１０】
2011234889.tif 000012
【図１１】
2011234889.tif 000013
【図１２】
2011234889.tif 000014
【図１３】
2011234889.tif 000015
【図１４】
2011234889.tif 000016
【図１５】
2011234889.tif 000017
【図１６】
2011234889.tif 000018